【手続補正書】
【提出日】平成15年6月9日(2003.6.9)
【手続補正１】
【補正対象書類名】明細書
【補正対象項目名】請求項１
【補正方法】変更
【補正の内容】
【請求項１】
１次燃焼室（１）の下面へ多数個の通気口（２ａ）（２’ａ）（２”ａ）を並列に設置し、該通気口の各々へ調節弁（２ｃ）（２’ｃ）（２”ｃ）を連結してから送風管（２）を経てブロワ（２ｂ）へ繋ぐことで、該室（１）内に設けた堆積層（１ｃ）を原料槽（Ａ）から乾燥槽（Ｂ）・熱分解槽（Ｃ）・燃焼槽（Ｄ）・おき槽（Ｅ）の順に層状へ形成し、該室（１）へ設置した排気口（１ｂ）を円錐状の２次燃焼筒（３）の小径端へ内設した流入管（３ａ）へ連結し、該管（３ａ）の外周へは細長開口のノズル（４ａ）を設け、該筒（３）の大径端は外周へ細長開口のノズル（４ｃ）を設けてから耐熱円筒（３ｃ）へ連結し、ブロワ（２ｂ’）は送風管（４）からノズル（４ａ）とノズル（４ｃ）へ連結してなる可燃廃棄物のガス化処理装置
【手続補正２】
【補正対象書類名】明細書
【補正対象項目名】０００３
【補正方法】変更
【補正の内容】
【０００３】
【発明が解決しようとする課題】
熱分解ガス化燃焼の技術は公知であるが、大気汚染防止の必要性が高まった現状に対しては特性を充分に生かせず、通気量を僅少に止め得ると云う特徴の発揮でガス燃焼温度を均一高温に保持する課題と、１次燃焼で浮上する粉塵量を極小に止め得る特性の発揮で粉塵飛散を未然に防止する課題とを、比較的小規模な燃焼炉において可燃廃棄物を簡易に充分な無公害に燃焼処理し、近接地区への配管設置で容易に経済的に熱利用して資源を有効利用し、必要とあれば動力転換も可能するなど、全てへ共通する課題の解決を必要とした。


【手続補正３】
【補正対象書類名】明細書
【補正対象項目名】０００４
【補正方法】変更
【補正の内容】
【０００４】
【課題を解決するための手段】
１次燃焼室の下面へは多数個の通気口を並列に設置して並列別に調節弁を設けてから送風管を経てブロワへ連結することで、該１次燃焼室内へ設けた堆積層を原料槽から乾燥槽・熱分解槽・燃焼槽・おき槽の順に層状に区分して形成して原料を順次の過程経過で処理し、該１次燃焼室へ設けた排気口を円錐状の２次燃焼筒の小径端へ内設する流入管内へ連結して発生ガスを誘導し、該流入管の外径へは細長に開口するノズルを設け、該燃焼筒の大径端は外周へ細長に開口するノズルを設けた上で耐熱円筒へ連結し、ブロワから送風管を経て双方の該ノズルへ連結することで外気を薄膜状に２段階に吐出して発生ガスを燃焼する。


【手続補正４】
【補正対象書類名】明細書
【補正対象項目名】０００５
【補正方法】変更
【補正の内容】
【０００５】
耐熱円筒を経た後は、冷却水管を設置する冷却器を経てからブロワにより排出口へ連結する。


【手続補正５】
【補正対象書類名】明細書
【補正対象項目名】０００６
【補正方法】削除
【補正の内容】
【手続補正６】
【補正対象書類名】明細書
【補正対象項目名】０００７
【補正方法】削除
【補正の内容】
【手続補正７】
【補正対象書類名】明細書
【補正対象項目名】０００８
【補正方法】変更
【補正の内容】
【０００８】
【作用】１次燃焼室内へ原料を充填して堆積層を形成し、排気口側の堆積槽へ油紙を落とすなどして着火後にブロワを稼働して作動開始するが、１次燃焼室内の下面へ並列に設置した多数個の通気口中の排気口に近い位置の調節弁を適量開口し通気すると、開口位置周辺の堆積槽が供給酸素によって燃焼槽を形成するのだが、詳細には、未燃の原料槽に接続しては含有水分の乾燥槽を形成し、次に熱分解槽を形成してから燃焼槽となり、更に残存炭素分を遅速に燃焼するおき槽も形成し、並列設置する調節弁の開口を各槽の必要通気量に合わせて制御する時は、燃焼槽は１，０００℃位へまで成るのに乾燥槽は１００℃以下だし熱分解槽は５００℃以下で一般には終了し、乾燥と熱分解への必要熱量は燃焼槽からの熱移動で足りて酸素供給は必要とせず、該室からの発生ガスは各槽の発生分を混合するので、合計値が５００℃以上の比較的低温度となるように並列する通気口の開口を燃焼槽の位置に合わせて調節弁で制御する時は、１次燃焼室への毎時通気量は燃焼の空気比で表して０．２〜０．３程度の極小値で済み、従って、各槽を透過するガス流の速度は微少なので粉塵を浮上し難い。


【手続補正８】
【補正対象書類名】明細書
【補正対象項目名】０００９
【補正方法】変更
【補正の内容】
【０００９】
１次燃焼室の発生ガスは、排気口を経て２次燃焼筒の小径側へ内設した流入管内へ入るが、該・流入管の外周に設けた細長ノズルから外気がブロワにより薄膜状に高速度で吐出するのでエゼクタ効果で発生ガスは吸引され、該発生ガスは着火温度以上なので外気混合で２次燃焼するのだが外気量が過大だと外気に冷却させて着火不能となるのに、該ノズルからの薄膜状の吐出によって２次燃焼筒内で順次に混合してローソクの炎の如くガス燃焼し、しかも、外気量を適量に止める時は確実な着火燃焼で昇温してガス容積を増加しつつ大径側へ進み、再び細長なノズルから薄膜状に充分量の外気を供給して耐熱円筒内でガス燃焼を完了する時には、１次燃焼室分も合計した燃焼空気比は１．３〜１．５程度の小値でも完全燃焼できるので、発生熱量に対して供給外気量が少ないために１，０００℃あるいはそれ以上の高温度を均一に維持し、排気ガス公害に対処できる。


【手続補正９】
【補正対象書類名】明細書
【補正対象項目名】００１０
【補正方法】変更
【補正の内容】
【００１０】
耐熱円筒で完全燃焼した後の高温の燃焼ガスは、冷却器へ流入して冷却水管で熱交換しつつ順次にガス温度を低下した後、ブロワで吸引するので１次燃焼室内は若干の負圧に成る程度であり、更にブロワ圧力で他の冷却器を経た後に排気口から排出され、冷却水管で得た熱水は近接地区で熱利用できるし、あるいは、加圧蒸気にして蒸気機関で発電もできる。


【手続補正１０】
【補正対象書類名】明細書
【補正対象項目名】００１１
【補正方法】削除
【補正の内容】
【手続補正１１】
【補正対象書類名】明細書
【補正対象項目名】００１２
【補正方法】削除
【補正の内容】
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】変更
【補正の内容】
【００１４】
【実施例】実施例に付いて図面を参照にして説明する。図１において、仕切壁（１ａ）で区分して１次燃焼室（１）内に排気口（１ｂ）と堆積層（１ｃ）を設け、該室（１）の底面（１ｄ）に多数個の通気口（２ａ）（２’ａ）（２”ａ）を並列に設置して各々は開閉弁（２ｃ）（２’ｃ）（２”ｃ）を経て通気管（２）からブロワ（２ｂ）へ連結し、開閉弁（２ｃ）等は制御計（２ｄ）と連結しブロワ（２ｂ）は排気口（１ｂ）内の温度センサ（２ｅ）と連結し、開口中の通気口（２’ａ）（２”ａ）上の堆積層（１ｃ）が燃焼槽（Ｄ）を形成しており、接続して順次に熱分解槽（Ｃ）乾燥槽（Ｂ）原料槽（Ａ）を形成し、反対側へはおき槽（Ｅ）を形成している。


【手続補正１４】
【補正対象書類名】明細書
【補正対象項目名】００１５
【補正方法】変更
【補正の内容】
【００１５】
ブロワ（２ｂ’）は通気管（４）を経てノズル（４ａ）へ連結して流入管（３ａ）の外周へ細長に開口し、ノズル（４ａ）から外気を薄膜状に吐出してエゼクタ効果で発生ガスを１次燃焼室（１）内から管（３ａ）内へ吸引すると共に、２次燃焼筒（３）内へ吐出外気が流入し発生ガスの未燃の一部をガス燃焼して昇温し、通気管（４）は該筒（３）外周を成す管路（４ｂ）を経てから細長に開口するノズル（４ｃ）へ連結するので、該筒（３）の末端で連結する耐熱円筒（３ｂ）内で再び外気を薄膜状に吐出し、該円筒（３ｂ）内で未燃分を充分にガス燃焼して完全燃焼する。


【手続補正１５】
【補正対象書類名】明細書
【補正対象項目名】００１６
【補正方法】変更
【補正の内容】
【００１６】
耐熱円筒（３ｂ）は冷却水管（５ａ）（６ａ）を内装する冷却器（５）（６）へガス管（６ｄ）を経て接続し、冷却ガスは中筒（６ｅ）内からブロワ（８）で吸引し冷却器（７）へ管（８ａ）で吐出し、中筒（７ｄ）経由で屋根（１１ａ）で被われる充填槽（１１）を経て排気口（１１ｂ）から排出する一方、冷却水は矢印の如く管（７ｂ）（７ｃ）（６ｂ）（６ｃ）（５ｂ）（５ｃ）を経て冷却水管（５ａ）（６ａ）（７ａ）によって順次に燃焼ガスと熱交換して、加圧水蒸気に成って蒸気機関（１２）を駆動して凝固後にポンプ（１２ａ）で吸引し、凝固水は前記・管（７ｃ）と（６ｂ）の間へ圧入して前記・冷却水と合流し、一方、粉塵の一部は冷却器（６）下の室（６ｆ）に落下堆積しても良く、冷却器（７）下へ落下貯留した凝縮水（７ｅ）は水位計（９ｂ）で計測し、排出管（９）からポンプ（９ａ）へ送ってアルカリ剤タンク（９ｂ）から注入後に口（９ｃ）から前記・管（８ａ）へ送って排ガスを中和するルートと、弁（９ｅ）の開度調節で余剰水を口（９ｆ）から水槽（１０）へ送って冷却器（６）の余熱で蒸発させるルートに区分し、水槽（１０）上には屋根（１１ａ）が設置してある。


【手続補正１６】
【補正対象書類名】明細書
【補正対象項目名】００１７
【補正方法】削除
【補正の内容】
【手続補正１７】
【補正対象書類名】明細書
【補正対象項目名】００１８
【補正方法】削除
【補正の内容】
【手続補正１８】
【補正対象書類名】明細書
【補正対象項目名】００１９
【補正方法】削除
【補正の内容】
【手続補正１９】
【補正対象書類名】明細書
【補正対象項目名】００２０
【補正方法】削除
【補正の内容】
【手続補正２０】
【補正対象書類名】明細書
【補正対象項目名】００２１
【補正方法】削除
【補正の内容】
【手続補正２１】
【補正対象書類名】明細書
【補正対象項目名】００２３
【補正方法】変更
【補正の内容】
【００２３】
１次燃焼室へ投入し堆積した原料に着火した後、並列設置する通気口中の必要位置の調節弁を適量開口することで、堆積層を原料槽から乾燥槽・熱分解槽・燃焼槽・おき槽の順に層状に形成させ、極少の必要通気量で発生ガスの適量を適正温度で発生するよう制御して、熱分解ガス化の工費を節減し、熱分解ガスを高精度に１次燃焼炉で形成できる利点がある。


【手続補正２２】
【補正対象書類名】明細書
【補正対象項目名】００２５
【補正方法】変更
【補正の内容】
【００２５】
１次燃焼室内への通気量が極少で済むために堆積層内の透過ガス流速が微少なので粉塵は浮上し難く、従って、集塵装置を設置しなくても排気ガス中への粉塵飛散量は元来が極めて少ないと云う利点がある。


【手続補正２３】
【補正対象書類名】明細書
【補正対象項目名】００２６
【補正方法】削除
【補正の内容】
【手続補正２４】
【補正対象書類名】明細書
【補正対象項目名】００２７
【補正方法】削除
【補正の内容】
【手続補正２５】
【補正対象書類名】明細書
【補正対象項目名】図面の簡単な説明
【補正方法】変更
【補正の内容】
【図面の簡単な説明】
【図１】可燃廃棄物のガス化処理装置の一実施例における縦断面図である。
【符号の説明】
１      １次燃焼室
１ｂ    排気口
１ｃ        堆積層
２      通気管
２ａ，２’ａ、２”ａ    通気口
２ｂ、２ｂ’  ブロワ
２ｃ、２’ｃ、２”ｃ    調節弁
２ｄ    制御計
３            ２次燃焼筒
３ａ        流入管
３ｂ        耐熱円筒
４      送風管
４ａ，４ｃ    ノズル
４ｂ    送風管路
５，６，７    冷却器
５ａ，６ａ，７ａ    冷却水管
８      ブロワ
１１ｂ        排気口
１２            蒸気機関
Ａ            原料槽
Ｂ            乾燥槽
Ｃ      熱分解槽
Ｄ      燃焼槽
Ｅ            おき槽


【手続補正２６】
【補正対象書類名】図面
【補正対象項目名】図２から図５まで
【補正方法】削除
【補正の内容】